(57)【要約】【課題】正しい位置にディスクを搬送する。【解決手段】ディスクがディスクの縁から挿入方向の延長線に沿って挿入される挿入口を有するシャーシと、延長線を挟んで挿入口に設けられ、ディスクの縁に沿って移動する２つのピンと、挿入されたディスクの主面に並行に移動可能で２つのピンをそれぞれが１つずつ保持する２つのアーム部と、２つのピンの間隔が予め定められた距離以上となっている場合に、２つのアーム部の何れか一方が接触するスイッチと、２つのピンのそれぞれが互いに近づくように２つのアーム部を付勢する付勢部と、を備え、付勢部は、２つのアーム部のうち、スイッチに接触する一方のアーム部を他方のアーム部より強い力で付勢するディスク駆動装置を提供する。【選択図】図７
2014130664.tif 000002
【特許請求の範囲】
【請求項１】
ディスクが前記ディスクの縁から挿入方向の延長線に沿って挿入される挿入口を有するシャーシと、
前記延長線を挟んで前記挿入口に設けられ、前記ディスクの縁に沿って移動する２つのピンと、
挿入された前記ディスクの主面に並行に移動可能で前記２つのピンをそれぞれが１つずつ保持する２つのアーム部と、
前記２つのピンの間隔が予め定められた距離以上となっている場合に、前記２つのアーム部の何れか一方が接触するスイッチと、
前記２つのピンのそれぞれが互いに近づくように前記２つのアーム部を付勢する付勢部と、
を備え、
前記付勢部は、前記２つのアーム部のうち、前記スイッチに接触する一方のアーム部を他方のアーム部より強い力で付勢する
ディスク駆動装置。
【請求項２】
前記２つのアーム部は、挿入される前記延長線を挟んで対称に回動し、
前記２つのピンのそれぞれは、前記２つのアーム部のそれぞれに一体的に設けられる
請求項１に記載のディスク駆動装置。
【請求項３】
前記２つのアーム部は、前記延長線から離れる方向に回動した場合に、互いに遠ざかる位置に前記２つのピンが設けられる
請求項２に記載のディスク駆動装置。
【請求項４】
前記延長線に平行に移動し、前記２つのアーム部を連結して前記延長線に対して対称に動作させる連結部をさらに備え、
前記付勢部は、
前記延長線に対して前記スイッチがある側の前記連結部と前記シャーシとの間を付勢するバネである
請求項３に記載のディスク駆動装置。
【請求項５】
前記バネは、前記シャーシにおける挿入される前記延長線と、前記連結部における挿入される前記延長線より前記スイッチ側の位置との間に、前記延長線に対して傾けて配置される
請求項４に記載のディスク駆動装置。
【請求項６】
前記付勢部は、前記シャーシと前記連結部との間の複数の箇所を付勢する複数のバネである
請求項４に記載のディスク駆動装置。
【請求項７】
前記付勢部は、前記スイッチに接触する側の少なくとも一方のアーム部を、前記延長線に近づく方向に回動させるように付勢する
請求項３から６の何れか１項に記載のディスク駆動装置。
【発明の詳細な説明】
【技術分野】
【０００１】
本発明は、光ディスク等を記録または再生するためのディスク駆動装置に関する。
【背景技術】
【０００２】
挿入口に直接光ディスク（以下、ディスクという）を挿入するスロットイン型のディスク駆動装置が知られている。このようなディスク駆動装置は、ディスクが挿入口に挿入されたことを検出するための２つのピンを備える。２つのピンは、ディスクの進入を遮るように垂直に立てられた状態で、挿入口の中心近傍に並んで配置されている。
【０００３】
２つのピンは、挿入口から見て互いに外側に回動する２つのアーム部の先端部分に設けられる。このため、２つのピンは、ディスクが挿入口から挿入された場合には、挿入されたディスクから与えられる力で左右に押し広げられる。
【０００４】
ここで、２つのアーム部は、ディスクが挿入されて所定量回動するとスイッチを押し下す。これにより、ディスク駆動装置は、ディスクが挿入されたことを検知することができる。
【０００５】
また、２つのアーム部は、２本のピンが閉じるようにバネにより付勢されている。これにより、２つのピンは、ディスクが排出された後には、挿入口のほぼ中央近傍の初期位置に戻される。
【先行技術文献】
【特許文献】
【０００６】
【特許文献１】特開２０１０−１５３００１号公報
【発明の概要】
【発明が解決しようとする課題】
【０００７】
ところで、スイッチは、２つのアーム部のうちの一方側にのみ設けられる場合がある。このような場合、２つのアーム部は、スイッチが設けられている側と、スイッチが設けられていない側とで、回動のために要する力が異なってしまう。２つのアーム部の間で回動に要する力が大きく異なると、ディスクの搬送時において２つのピンが同期して均等に移動しない。このため、このような場合、ディスクが、スイッチの設けられていない方にずれて搬送されてしまう。
【０００８】
本発明は、上記に鑑みてなされたものであって、ディスクの挿入および排出時において、正しい位置にディスクを搬送することができるディスク駆動装置を提供することを目的とする。
【課題を解決するための手段】
【０００９】
上述した課題を解決し、目的を達成するために、本発明にかかるディスク駆動装置は、ディスクが前記ディスクの縁から挿入方向の延長線に沿って挿入される挿入口を有するシャーシと、前記延長線を挟んで前記挿入口に設けられ、前記ディスクの縁に沿って移動する２つのピンと、挿入された前記ディスクの主面に並行に移動可能で前記２つのピンをそれぞれが１つずつ保持する２つのアーム部と、前記２つのピンの間隔が予め定められた距離以上となっている場合に、前記２つのアーム部の何れか一方が接触するスイッチと、前記２つのピンのそれぞれが互いに近づくように前記２つのアーム部を付勢する付勢部と、を備え、前記付勢部は、前記２つのアーム部のうち、前記スイッチに接触する一方のアーム部を他方のアーム部より強い力で付勢する。
【図面の簡単な説明】
【００１０】
【図１】図１は、ディスク１１の挿入前のディスク駆動装置１０を示す図である。
【図２】図２は、ディスク１１の挿入開始時のディスク駆動装置１０を示す図である。
【図３】図３は、ディスク１１の搬送時のディスク駆動装置１０を示す図である。
【図４】図４は、ディスク１１の装着後のディスク駆動装置１０を示す図である。
【図５】図５は、閉じた状態の２つのアーム部２２０および付勢部２４０等を上側から見た図である。
【図６】図６は、開いた状態の２つのアーム部２２０および付勢部２４０等を上側から見た図である。
【図７】図７は、閉じた状態の２つのアーム部２２０および付勢部２４０等を下側から見た図である。
【図８】図８は、開いた状態の２つのアーム部２２０および付勢部２４０等を下側から見た図である。
【図９】図９は、２つの付勢部２４０が設けられた２つのアーム部２２０等を上側から見た図である。
【図１０】図１０は、アーム部２２０を付勢する場合の、２つのアーム部２２０等を上側から見た図である。
【図１１】図１１は、斜めに配置された付勢部２４０が設けられた、２つのアーム部２２０等を上側から見た図である。
【図１２】図１２は、ディスク１１の装着後の２つのピン２１０の位置を、初期位置と比較して示す図である。
【図１３】図１３は、ディスク挿入前における、ロック部３１０等を側面側から見た図である。
【図１４】図１４は、ディスク挿入前における、ロック部３１０等を下側から見た図である。
【図１５】図１５は、図１４のロック部３１０の近傍の拡大図である。
【図１６】図１６は、ディスク搬送中における、ロック部３１０等を側面側から見た図である。
【図１７】図１７は、ディスク搬送中における、ロック部３１０等を下側から見た図である。
【図１８】図１８は、図１７のロック部３１０の近傍の拡大図である。
【図１９】図１９は、ディスク装着後における、ロック部３１０等を側面側から見た図である。
【図２０】図２０は、ディスク装着後における、ロック部３１０等を下側から見た図である。
【図２１】図２１は、図２０のロック部３１０の近傍の拡大図である。
【図２２】図２２は、内部にディスク１１が装着された状態において、別個のディスク１１が誤挿入された場合のディスク駆動装置１０を示す図である。
【図２３】図２３は、ディスク１１の挿入前の２つのアーム部２２０およびディスクガイド４１０を上側から見た図である。
【図２４】図２４は、ディスク１１の挿入前の２つのアーム部２２０およびディスクガイド４１０等を側面側から見た図である。
【図２５】図２５は、ディスク１１を装着後の２つのアーム部２２０およびディスクガイド４１０を上側から見た図である。
【図２６】図２６は、ディスク１１の装着後の２つのアーム部２２０およびディスクガイド４１０等を側面側から見た図である。
【発明を実施するための形態】
【００１１】
以下に、本発明にかかるディスク駆動装置の実施形態を図面に基づいて詳細に説明する。なお、この実施形態によりこの発明が限定されるものではない。
【００１２】
（ディスク１１の挿入および排出の動作）
図１は、ディスク１１の挿入前のディスク駆動装置１０を示す図である。本実施形態にかかるディスク駆動装置１０は、ディスク状記録媒体（ディスク１１）から光学的に情報を再生する。ディスク駆動装置１０は、スロットイン型と呼ばれ、ディスクトレイを用いずに、ディスク１１が縁から直接挿入される。このようなディスク駆動装置１０は、小型化が可能となり、例えば車載用に好適である。
【００１３】
ディスク駆動装置１０は、例えば全体が略直方体のシャーシ２０を備える。シャーシ２０は、一つの側面に挿入口２１を有する。挿入口２１は、記録再生面を下側に向けた状態でディスク１１が縁から挿入される。
【００１４】
本例において、ディスク駆動装置１０における下側とは、挿入されたディスク１１の記録再生面（レーザ光が照射される面）に対応する側を表す。また、ディスク駆動装置１０における上側とは、挿入されたディスク１１の記録再生面とは反対面に対応する側を表す。なお、下側および上側は、ディスク駆動装置１０とディスク１１との相対的な位置関係に基づき定まる。従って、ディスク駆動装置１０は、実際には、ディスク１１が垂直となるように配置されたり、上下を逆に配置されたりしてもよい。
【００１５】
ディスク駆動装置１０は、挿入口２１にディスク１１が挿入されたことを検出するための機構として、２つのピン２１０を備える。２つのピン２１０は、ディスク１１の進入を遮るように、挿入されるディスク１１の主面に対して垂直な状態で、挿入口２１の中心近傍に並んで配置される。
【００１６】
２つのピン２１０は、互いに離れる方向および近づく方向（挿入されるディスク１１の主面に平行であって且つ挿入方向に垂直な方向）に移動自在に設けられる。また、２つのピン２１０は、互いに近づく方向に付勢がされている。２つのピン２１０の間隔は、内部にディスク１１が挿入されていない場合、予め定められた初期距離となっている。
【００１７】
また、ディスク駆動装置１０は、ディスク１１の搬送用のローラレバー３０を備える。ローラレバー３０は、円柱状のローラ３１を有する。ローラ３１は、ディスク１１の主面に平行であって且つディスク１１の挿入方向に垂直な方向の軸を中心に回転する。
【００１８】
図２は、ディスク１１の挿入開始時のディスク駆動装置１０を示す図である。挿入口２１に挿入されたディスク１１は、まず、図２に示されるように縁が２つのピン２１０に接触する。この状態からディスク１１が挿入口２１の内部に押し込まれると、２つのピン２１０は、ディスク１１の縁から加わった力により互いに離れるように左右に移動する。
【００１９】
ローラレバー３０は、ディスク１１が挿入される前において、ローラ３１をシャーシ２０の天板２０Ａ側に押し付けた状態で待機している。なお、天板２０Ａは、シャーシ２０の上側の面の板である。
【００２０】
ディスク１１は、挿入口２１から内部に一定量挿入されると、縁がローラ３１と接触する。そして、ディスク１１は、さらに挿入されると、縁が天板２０Ａの下面側に設けられたディスクガイドと、ローラ３１との間へと入り込む。
【００２１】
ローラレバー３０は、２つのピン２１０が一定距離離間したことに応じて、ローラ３１の回転を開始する。このとき、ローラレバー３０は、天板２０Ａとローラ３１との間にディスク１１を挟み込んでディスク１１を天板２０Ａ側に押し付けながらローラ３１を回転させる。これにより、ローラレバー３０は、ディスク１１を内部へと搬送することができる。
【００２２】
図３は、ディスク１１の搬送時のディスク駆動装置１０を示す図である。ディスク１１は、ローラ３１の回転により、２つのピン２１０の間を通過して内部へと引き込まれる。このとき、２つのピン２１０は、互いに近づく方向に付勢されているので、ディスク１１が間を通過することに応じてディスク１１の縁に沿って左右に移動する。
【００２３】
図４は、ディスク１１の装着後のディスク駆動装置１０を示す図である。ローラレバー３０は、内部の所定位置までディスク１１を搬送すると、ローラ３１の回転を停止する。これとともに、ローラレバー３０は、ローラ３１を天板２０Ａ側から離間させて、ディスク１１の天板２０Ａ側への押し付けを開放する。
【００２４】
そして、ディスク駆動装置１０は、ターンテーブルとクランプ板との間にディスク１１を挟んで保持する。これにより、ディスク駆動装置１０は、以後、ディスク１１を回転させて、情報を再生することができる。
【００２５】
また、ディスク１１の排出時においては、ディスク駆動装置１０は、クランプ板をディスク１１から離間させる。その後に、ローラレバー３０は、シャーシ２０の天板２０Ａとローラ３１との間にディスク１１を挟み込んでディスク１１を天板２０Ａ側に押し付けながらローラ３１を回転させる。このとき、ローラ３１は、挿入時と逆回転をする。これにより、ローラレバー３０は、ディスク１１を外部へと排出することができる。そして、ローラレバー３０は、ディスク１１が挿入口２１から一定量露出すると回転を停止する。これにより、ディスク駆動装置１０は、ディスク１１を取り出させることができる。
【００２６】
（アーム部２２０等の構成および動作）
図５は、閉じた状態の２つのアーム部２２０および付勢部２４０等を上側から見た図である。図６は、開いた状態の２つのアーム部２２０および付勢部２４０等を上側から見た図である。
【００２７】
ディスク駆動装置１０は、２つのピン２１０を移動させるための機構として、２つのアーム部２２０と、連結部２３０と、付勢部２４０とを備える。
【００２８】
２つのアーム部２２０は、挿入されるディスク１１の回転中心が通過すべき位置を挟んで、ほぼ対称な形状であり、且つ、ほぼ対称な位置に設けられる。なお、図中において、ディスク１１の回転中心が通過すべき位置を表す線を中心通過線として示す。この中心通過線は、ディスク１１の挿入方向の延長線を表す。
【００２９】
さらに、２つのアーム部２２０のそれぞれは、ディスク１１の主面に対して垂直な回動軸２２１を中心に回動する。このとき、２つのアーム部２２０は、挿入されるディスク１１の回転中心が通過すべき位置を挟んで対称に回動する。
【００３０】
２つのアーム部２２０のそれぞれは、ピン２１０を、挿入口２１の近傍においてディスク１１の主面に平行な方向に移動可能に保持する。この場合には、２つのアーム部２２０のそれぞれは、ピン２１０をディスク１１の主面に対して垂直となるように保持する。例えば、２つのピン２１０のそれぞれは、２つのアーム部２２０のそれぞれに一体的に設けられる。
【００３１】
２つのアーム部２２０は、挿入口２１から見て互いに外側に開くように回動した場合に、即ち、中心通過線から離れる方向に回動した場合、互いに遠ざかる位置に２つのピン２１０が設けられる。より具体的には、ピン２１０は、２つのアーム部２２０における回動軸２２１よりも挿入口２１側に配置される。
【００３２】
例えば挿入口２１から見て右側のアーム部２２０−Ｒには、右側の回動軸２２１−Ｒよりも挿入口２１側に右側のピン２１０−Ｒが設けられている。従って、図５に示されるように、右側のアーム部２２０−Ｒが外側に開く方向（矢印Ｘ１方向）に回動すると、右側のピン２１０−Ｒは、中心から遠ざかるように移動する。また、図６に示されるように、右側のアーム部２２０−Ｒが内側に閉じる方向（矢印Ｘ２方向）に回動すると、右側のピン２１０−Ｒは、中心に近づくように移動することができる。
【００３３】
また、例えば挿入口２１から見て左側のアーム部２２０−Ｌには、左側の回動軸２２１−Ｌよりも挿入口２１側に左側のピン２１０−Ｌが設けられている。従って、図５に示されるように、左側のアーム部２２０−Ｌが外側に開く方向（矢印Ｙ１方向）に回動すると、左側のピン２１０−Ｌは、中心から遠ざかるように移動する。また、図６に示されるように、左側のアーム部２２０−Ｌが内側に閉じる方向（矢印Ｙ２方向）に回動すると、左側のピン２１０−Ｌは、中心に近づくように移動する。
【００３４】
連結部２３０は、２つのアーム部２２０と連結される。そして、連結部２３０は、ディスク１１の挿入方向に平行に直線移動することにより、２つのアーム部２２０をディスク１１の回転中心が通過すべき位置を挟んで対称に動作させる。連結部２３０は、一例として、２つのアーム部２２０の間に配置される。
【００３５】
例えば、図５に示されるように、２つのアーム部２２０が外側に開く方向（矢印Ｘ１方向および矢印Ｙ１方向）に回動することにより、連結部２３０は、挿入口２１に近づく方向（矢印Ｚ１方向）に直線移動する。また、図６に示されるように、２つのアーム部２２０が内側に閉じる方向（矢印Ｘ２方向および矢印Ｙ２方向）に回動することにより、連結部２３０は、挿入口２１から遠ざかる方向（矢印Ｚ２方向）に直線移動する。
【００３６】
付勢部２４０は、例えばコイルバネである。付勢部２４０は、２つのピン２１０のそれぞれが互いに近づくように２つのアーム部２２０を付勢する。本例においては、付勢部２４０は、連結部２３０を挿入口２１から遠ざかる方向（即ち、Ｚ２方向，ディスク挿入方向）に付勢することにより、２つのアーム部２２０を内側に閉じる方向（Ｘ２方向，Ｙ２方向）に付勢する。即ち、付勢部２４０は、２つのアーム部２２０を中心通過線に近づく方向に付勢する。なお、付勢部２４０による付勢の位置については詳細を後述する。
【００３７】
（スイッチの切り替えおよびアーム部２２０の付勢）
図７は、閉じた状態の２つのアーム部２２０および付勢部２４０等を下側から見た図である。図８は、開いた状態の２つのアーム部２２０および付勢部２４０等を下側から見た図である。
【００３８】
ディスク駆動装置１０は、第１スイッチ２５０および第２スイッチ２６０を備える。第１スイッチ２５０は、ディスク１１の挿入を検出し、ローラ３１の回転の開始のタイミングを決定することを目的として設けられている。第２スイッチ２６０は、２つのピン２１０が最も開いた状態を検出し、排出時のローラ３１の停止のタイミングを決定することを目的として設けられている。
【００３９】
第１スイッチ２５０および第２スイッチ２６０は、２つのアーム部２２０のうち一方が接触してオンまたはオフが切り替えられる。本例においては、第１スイッチ２５０および第２スイッチ２６０は、左側のアーム部２２０−Ｌが接触してオフからオンに切り替えられる。
【００４０】
具体的には、第１スイッチ２５０および第２スイッチ２６０は、図７および図８に示されるように、左側のアーム部２２０−Ｌの下側に配置される。そして、第１スイッチ２５０および第２スイッチ２６０は、左側のアーム部２２０−Ｌが回動することによって、左側のアーム部２２０−Ｌの下面に形成された円弧状の突起部２２２に押し下されて、オフからオンに切り替わる。
【００４１】
さらに、第１スイッチ２５０および第２スイッチ２６０は、２つのピン２１０の間隔が予め定められた距離以上となっている場合にオンまたはオフが維持される。
【００４２】
本例においては、第１スイッチ２５０は、内部にディスク１１が装着されておらず、２つのアーム部２２０が挿入口２１から見て最も内側に回動している場合には、アーム部２２０と接触せずにオフとなる。第１スイッチ２５０は、アーム部２２０が挿入口２１から見て外側に回動することにより、２つのピン２１０の間隔が、ディスク１１が挿入口２１内に所定量（例えば直径の１／４程度）進入したときの距離以上となっている場合、アーム部２２０と接触してオンとなる。
【００４３】
また、本例においては、第２スイッチ２６０は、アーム部２２０が挿入口２１から見て外側に回動することにより、２つのピン２１０の間隔が、第１スイッチ２５０がオンとなる距離より長い所定間隔（例えば、ほぼディスク１１の直径の距離）以上となっている場合、アーム部２２０と接触してオンとなる。第２スイッチ２６０は、２つのピン２１０の間隔が、その所定間隔より小さい場合には、アーム部２２０と接触せずにオフとなる。
【００４４】
第１スイッチ２５０および第２スイッチ２６０は、オンおよびオフの状態を表す信号を駆動制御回路に通知する。駆動制御回路は、ディスク１１を内部に装着していない状態において、第１スイッチ２５０がオフからオンに切り替わったことに応じて、ローラ３１の回転を開始させる。このとき、駆動制御回路は、ディスク１１を内部へと引き込む方向にローラ３１を回転させる。また、駆動制御回路は、ディスク１１が内部に装着されている状態において、第２スイッチ２６０がオンからオフに切り替わったことに応じて、ディスク１１を外部へと排出する方向に回転しているローラ３１を停止させる。
【００４５】
（付勢部２４０による付勢の位置）
つぎに、付勢部２４０による付勢の位置について説明する。付勢部２４０は、２つのアーム部２２０のうち、第１スイッチ２５０に接触する一方のアーム部２２０を他方のアーム部２２０より強い力で付勢する。
【００４６】
本例においては、付勢部２４０は、左側のアーム部２２０−Ｌを右側のアーム部２２０−Ｒよりも強い力で付勢する。付勢部２４０は、一例として、コイルバネである。
【００４７】
コイルバネである付勢部２４０は、シャーシ２０と連結部２３０との間を、ディスク挿入方向に平行に付勢する。このとき、付勢部２４０は、ディスク１１の回転中心が通過すべき位置より第１スイッチ２５０の側を付勢する。
【００４８】
２つのアーム部２２０は、ディスク１１の挿入および排出時に、一方が第１スイッチ２５０に接触しながら回動し、他方が第１スイッチ２５０に接触せずに回動する。従って、２つのアーム部２２０は、第１スイッチ２５０が接触する側の一方のアーム部２２０の方が、第１スイッチ２５０が接触しない側の他方のアーム部２２０よりも、回動させるために必要な力が大きい。
【００４９】
このため、２つのアーム部２２０は、もし互いに均等な力で付勢がされた場合には、ディスク１１の挿入および排出時において、２つのピン２１０が左右対称に移動しなくなりディスク１１の回転中心が左右にずれる。よって、この場合には、ディスク１１は、正しい位置に搬送されない。また、２つのアーム部２２０の回動が左右非対称になるため、２つのアーム部２２０および連結部２３０が動作しにくくなったり、がたつきが発生したりする場合もある。さらに、ディスク１１を搬送させるためのモータの負荷が大きくなり、モータの動作音が大きくなる場合もある。
【００５０】
これに対して、本実施形態においては、付勢部２４０は、第１スイッチ２５０に接触する一方のアーム部２２０を他方のアーム部２２０より強い力で付勢する。これにより、ディスク駆動装置１０は、ディスク１１の挿入および排出時において、第１スイッチ２５０が接触していない側のアーム部２２０と、第１スイッチ２５０が接触している側のアーム部２２０とを均等に同期して回動させることができる。この結果、ディスク１１の挿入および排出時において２つのピン２１０が同期して左右対称に開くので、ディスク駆動装置１０は、ディスク１１を正しい位置に搬送することができる。また、２つのアーム部２２０が左右対称に回動するので、２つのアーム部２２０および連結部２３０ががたつき無く動作でき、さらに、ディスク１１を搬送させるためのモータへの負荷の増加を小さくすることができる。
【００５１】
（付勢部２４０の変形例）
図９は、２つの付勢部２４０が設けられた２つのアーム部２２０等を上側から見た図である。付勢部２４０は、シャーシ２０と連結部２３０との間の複数の箇所を付勢する構成であってもよい。この場合、ディスク駆動装置１０は、付勢部２４０の一例として、それぞれがコイルバネである第１のバネ部２４１および第２のバネ部２４２を備える。
【００５２】
第１のバネ部２４１は、シャーシ２０と連結部２３０との間を、ディスク挿入方向に平行に付勢する。第１のバネ部２４１は、挿入されるディスク１１の回転中心が通過すべき位置より第１スイッチ２５０の側を付勢する。
【００５３】
また、第２のバネ部２４２も、シャーシ２０と連結部２３０との間を、ディスク挿入方向に平行に付勢する。第２のバネ部２４２は、挿入されるディスク１１の回転中心が通過すべき位置より第１スイッチ２５０とは反対側の位置を付勢する。
【００５４】
ここで、第１のバネ部２４１の付勢力は、第２のバネ部２４２の付勢力より大きい。このような第１のバネ部２４１および第２のバネ部２４２は、第１スイッチ２５０に接触する一方のアーム部２２０を他方のアーム部２２０より強い力で付勢することができる。これにより、ディスク駆動装置１０は、ディスク１１の挿入時において、２つのアーム部２２０のそれぞれを同期して均等に回動させることができる。
【００５５】
図１０は、アーム部２２０を付勢する場合の、２つのアーム部２２０等を上側から見た図である。付勢部２４０は、連結部２３０とシャーシ２０との間を付勢することに加えて、または、これに代えて、シャーシ２０と２つのアーム部２２０のそれぞれとの間を付勢する構成であってもよい。この場合、ディスク駆動装置１０は、付勢部２４０の一例として、それぞれがコイルバネである第１のバネ部２４１、第３のバネ部２４３および第４のバネ部２４４を備える。
【００５６】
第１のバネ部２４１は、シャーシ２０と、連結部２３０との間を、ディスク挿入方向に平行に付勢する。第１のバネ部２４１は、挿入されるディスク１１の回転中心が通過すべき位置より第１スイッチ２５０の側を付勢する。
【００５７】
第３のバネ部２４３は、シャーシ２０と左側のアーム部２２０−Ｌとの間を、挿入口２１の方向から見て左側のアーム部２２０−Ｌが内側に閉じるように付勢する。第４のバネ部２４４は、シャーシ２０と右側のアーム部２２０−Ｒとの間を、挿入口２１の方向から見て右側のアーム部２２０−Ｒが内側に閉じるように付勢する。
【００５８】
第１のバネ部２４１、第３のバネ部２４３および第４のバネ部２４４の付勢力は、ほぼ同一である。これにより、第１のバネ部２４１、第３のバネ部２４３および第４のバネ部２４４は、第１スイッチ２５０に接触する一方のアーム部２２０を他方のアーム部２２０より強い力で付勢することができる。これにより、ディスク駆動装置１０は、ディスク１１の挿入時において、２つのアーム部２２０のそれぞれを同期して均等に回動させることができる。
【００５９】
また、ディスク駆動装置１０は、第１のバネ部２４１を備えずに、第３のバネ部２４３および第４のバネ部２４４を備える構成であってもよい。この場合、第３のバネ部２４３の付勢力は、第４のバネ部２４４の付勢力より大きい。このような第３のバネ部２４３および第４のバネ部２４４は、第１スイッチ２５０に接触する一方のアーム部２２０を他方のアーム部２２０より強い力で付勢することができる。
【００６０】
図１１は、斜めに配置された付勢部２４０が設けられた、２つのアーム部２２０等を上側から見た図である。付勢部２４０は、ディスク挿入方向に対して傾けて配置された第５のバネ部２４５であってもよい。
【００６１】
第５のバネ部２４５は、シャーシ２０における挿入されるディスク１１の回転中心が通過すべき位置と、連結部２３０における挿入されるディスク１１の回転中心が通過すべき位置より第１スイッチ２５０側の位置との間に、ディスク挿入方向に対して傾けて配置される。このように配置された第５のバネ部２４５は、第１スイッチ２５０に接触する一方のアーム部２２０を他方のアーム部２２０より強い力で付勢することができる。これにより、ディスク駆動装置１０は、ディスク１１の挿入時において、２つのアーム部２２０のそれぞれを同期して均等に回動させることができる。
【００６２】
（ディスク１１の装着時において２本のピン２１０の間隔）
図１２は、ディスク１１の装着後の２つのピン２１０の位置を、初期位置と比較して示す図である。２本のピン２１０は、上述したように内側に閉じるように、バネ力で付勢がされている。
【００６３】
２本のピン２１０は、ディスク１１が内部に装着されていない状態においては、初期位置に配置され、その間隔が予め定められた初期距離となっている。２本のピン２１０は、ディスク１１が挿入口２１に挿入されたことに応じて、ディスク１１の縁から加わる力により押し広げられて、ディスク１１の縁に沿って外側に開くように移動する。そして、２本のピン２１０は、ディスク１１が１／２以上挿入された後には、ディスク１１の縁に沿って内側に閉じるように移動する。
【００６４】
このような２本のピン２１０は、ディスク１１が内部に装着された後には、その間隔が、予め定められたスイッチング距離となる。このスイッチング距離は、ディスク１１が内部に装着されていない状態での２本のピン２１０の間隔（初期距離）より長い。
【００６５】
そして、スイッチング距離は、少なくとも、ディスク１１の挿入を検知してローラ３１の回転を開始するタイミングを決定する第１スイッチ２５０がオンとなる距離である。即ち、ディスク１１が内部に装着されている場合、第１スイッチ２５０は、常時、オンとなる。これにより、ディスク駆動装置１０は、例えば電源異常等が生じた場合であっても、第１スイッチ２５０のスイッチング状態を検出することにより、内部にディスク１１が装着されているか否かを確実に検出することができる。
【００６６】
以下、図１３〜図２１を参照しながら、内部にディスク１１が装着されている場合に、２本のピン２１０の間隔をスイッチング距離以上とするための機構について説明する。
【００６７】
ディスク駆動装置１０は、ロック部３１０を備える。ロック部３１０は、ディスク１１がシャーシ２０の内部に装着されている場合は、２つのピン２１０の間隔がスイッチング距離以下とならないように、２つのピン２１０の互いに近づく方向への移動を規制する。
【００６８】
より具体的には、ロック部３１０は、例えば図１５、図１８および図２１に示されるように、板部３１１と、爪部３１２と、軸部３１３とを有する。
【００６９】
板部３１１は、縦長の主面を有する薄板である。板部３１１は、主面がディスク１１とほぼ平行となり、且つ、長辺方向がディスク挿入方向となるように配置される。さらに、板部３１１は、第１スイッチ２５０と接触する側の一方のアーム部２２０の外周に沿って配置される。
【００７０】
爪部３１２は、板部３１１と一体に形成される。爪部３１２は、板部３１１におけるディスク挿入方向の一端から、アーム部２２０側に突き出すように形成される。
【００７１】
ここで、第１スイッチ２５０と接触する側の一方のアーム部２２０の外周部分には、溝部３２０が形成されている。爪部３１２および溝部３２０は、アーム部２２０が内側に回動したときに、互いに機械的に干渉する形状および位置に形成される。そして、爪部３１２と溝部３２０とが機械的に干渉した場合には、アーム部２２０は内側への回動が規制される。ただし、爪部３１２と溝部３２０とが機械的に干渉していても、アーム部２２０は、外側への回動は可能である。
【００７２】
軸部３１３は、板部３１１のディスク挿入方向の略中心を軸として、板部３１１を比較的に小さい可動範囲で回動させる。具体的には、軸部３１３は、爪部３１２と溝部３２０とが機械的に干渉する位置と、爪部３１２と溝部３２０とが機械的に干渉しない位置との間で移動するように、板部３１１を回動させる。
【００７３】
また、軸部３１３は、板部３１１に外部から力が加わっていない場合に、爪部３１２と溝部３２０とが機械的に干渉する位置に移動するように、板部３１１をバネにより付勢する。
【００７４】
（ディスク１１が装着されていない場合のロック部３１０の状態）
図１３に示されるように、ディスク１１が内部に装着されていない場合、ローラレバー３０は、ローラ３１を天板２０Ａ側へと押し付けている。この場合、ロック部３１０は、図１３の矢印Ａ１に示されるように、ローラレバー３０におけるローラ３１とは反対側の端部が、板部３１１における爪部３１２とは反対側の端部に押されて回動する。これにより、ロック部３１０の爪部３１２は、図１３の矢印Ａ２に示されるように、アーム部２２０の溝部３２０に機械的に干渉しない位置に移動する。
【００７５】
従って、ディスク１１が内部に装着されていない場合、図１４および図１５に示されるように、爪部３１２は、溝部３２０に引っかからない。このため、アーム部２２０は、ロック部３１０による内側への回動の規制が解除された状態となる。
【００７６】
なお、ここで、アーム部２２０は、内側に付勢がされている。このため、２つのピン２１０の間の距離は最も近づいた状態となる。この状態における２つのピン２１０の間の距離は、図１４に示されるように、初期距離である。そして、２つのピン２１０の間が初期距離である場合、第１スイッチ２５０は、図１５に示されるように、アーム部２２０の突起部２２２と接触せずにオフとなっている。
【００７７】
（ディスク１１の搬送中の場合のロック部３１０の状態）
図１６に示されるように、ディスク１１の搬送中の場合、ローラレバー３０は、ディスク１１をローラ３１と天板２０Ａとの間に挟みこんだ状態で、ローラ３１を天板２０Ａ側に押し付けている。この場合、ロック部３１０は、ローラレバー３０におけるローラ３１とは反対側の端部が、板部３１１における爪部３１２とは反対側の端部に力を加えない。これにより、ロック部３１０の爪部３１２は、図１６の矢印Ａ３に示されるように、軸部３１３の付勢力により、アーム部２２０の溝部３２０に機械的に干渉する位置に移動する。
【００７８】
従って、ディスク１１の搬送中の場合、図１７および図１８に示されるように、爪部３１２は、溝部３２０に干渉する。このため、アーム部２２０は、２本のピン２１０間の距離がスイッチング距離以下とならないように、ロック部３１０により内側への回動が規制された状態となる。
【００７９】
もっとも、ディスク１１の搬送中においては、図１７に示されるように、２つのピン２１０は、その間隔が、ディスク１１の縁から力が加わりスイッチング距離より広がっている。このため、図１８に示されるように、爪部３１２は、溝部３２０に引っかかっていない状態となっている。また、ディスク１１の搬送中においては、第１スイッチ２５０は、図１８に示されるように、アーム部２２０の突起部２２２と接触してオンとなっている。
【００８０】
（ディスク１１が内部に装着されている場合のロック部３１０の状態）
図１９に示されるように、ディスク１１が内部に装着されている場合、ローラレバー３０は、ローラ３１を天板２０Ａ側に押し付けていない。この場合、ロック部３１０は、ローラレバー３０におけるローラ３１とは反対側の端部が、板部３１１における爪部３１２とは反対側の端部に力を加えない。これにより、ロック部３１０の爪部３１２は、図１９の矢印Ａ４に示されるように、軸部３１３の付勢力により、アーム部２２０の溝部３２０と機械的に干渉する位置に移動する。
【００８１】
従って、ディスク１１が内部に装着されている場合、図２０および図２１に示されるように、爪部３１２は、溝部３２０に引っかかる。このため、アーム部２２０は、ロック部３１０により、２本のピン２１０間の距離がスイッチング距離以下とならないように内側への回動が規制された状態となる。
【００８２】
ここで、２つのピン２１０間の距離がスイッチング距離である場合、第１スイッチ２５０は、図２１に示されるように、アーム部２２０の突起部２２２と接触してオンとなっている。これにより、ロック部３１０は、ディスク１１が内部に装着されている場合、第１スイッチ２５０を常時オンとすることができる。
【００８３】
以上のように、ディスク駆動装置１０は、ディスク１１が内部に装着されている場合、ディスク１１の挿入を検出するための第１スイッチ２５０が常時オンとなる。これにより、ディスク駆動装置１０は、例えば電源異常等が生じた場合であっても、第１スイッチ２５０のスイッチング状態を検出することにより、内部にディスク１１が装着されているか否かを確実に検出することができる。
【００８４】
（誤挿入の防止）
図２２は、内部にディスク１１が装着された状態において、別個のディスク１１が誤挿入された場合のディスク駆動装置１０を示す図である。上述したように、ディスク駆動装置１０は、ディスク１１の挿入を検出するための２本のピン２１０を備える。２本のピン２１０は、挿入口２１へのディスク１１の進入を遮るように、ディスク１１の主面に対して垂直に立てて設けられる。
【００８５】
ディスク１１が内部に装着されていない場合、２本のピン２１０は、ディスク１１が挿入されると、ディスク１１の縁から加えられた力により押し広げられて、互いに遠ざかる方向へ移動する。これにより、ディスク１１は、２本のピン２１０の間を通過して内部へと進入することができる。
【００８６】
ここで、本実施形態において、２本のピン２１０は、ディスク１１が内部に装着されている場合には、その間隔が予め定められた距離以上とならないように、互いに遠ざかる方向への移動が禁止されている。従って、ディスク１１が内部に装着されている場合に、別個のディスク１１が挿入口２１に挿入されたときに、２本のピン２１０は、その間隔が広がらない。よって、別個のディスク１１は、挿入口２１の内部へと進入することができない。このように、ディスク駆動装置１０は、ディスク１１が内部に装着されている場合は、別個のディスク１１が挿入口２１から内部に進入することを防止している。
【００８７】
以下、図２３〜図２６を参照しながら、内部にディスク１１が装着されている場合に、２本のピン２１０の間隔が予め定められた距離以上となることを禁止するための機構について説明する。
【００８８】
ディスク駆動装置１０は、ディスクガイド４１０を備える。ディスクガイド４１０は、例えば樹脂により形成された略平板状の部材である。ディスクガイド４１０は、シャーシ２０の天板２０Ａに、ディスク１１に対して略平行に配置される。さらに、ディスクガイド４１０は、天板２０Ａの内側における挿入口２１の近傍に設けられる。
【００８９】
ディスクガイド４１０は、ディスク１１側の表面に凸部４１１を有する。ディスク１１は、搬送中において、ローラ３１により天板２０Ａに押し付けられた場合、その表面がディスクガイド４１０における凸部４１１に接触して、他の部分には接触しない。これにより、ディスクガイド４１０は、ディスク１１の搬送中において、ディスク１１が天板２０Ａに直接接触して傷ついてしまうことを防止することができる。
【００９０】
また、凸部４１１は、ディスク挿入方向に対して略垂直な方向に細長い形状となっている。そして、凸部４１１は、ディスク１１の中央側が低く、端側が高くなるように傾斜が設けられている。これにより、ディスクガイド４１０は、ディスク１１の搬送時において、ディスク１１が端側にずれずに中央に位置するようにガイドすることができる。
【００９１】
また、ディスクガイド４１０は、図２４に示されるように、ローラ３１により天板２０Ａ側に押し付けられている場合には、天板２０Ａに密着する。これに対して、ディスクガイド４１０は、図２６に示されるように、ローラ３１による天板２０Ａ側への押し付けが開放された場合には、少なくとも挿入口２１側の辺が天板２０Ａから離間する。
【００９２】
さらに、ディスクガイド４１０は、２つのピン２１０の移動を規制する規制部４２０を有する。規制部４２０は、一例として、ディスクガイド４１０の挿入口２１側の辺の外側の２つの箇所から、挿入口２１側に突き出した形状である。
【００９３】
規制部４２０は、図２３および図２４に示されるように、ディスクガイド４１０が天板２０Ａ側に押し付けられている場合、２つのピン２１０の天板２０Ａ側の先端部分との間にすき間を形成する。従って、規制部４２０は、ディスクガイド４１０が天板２０Ａ側に押し付けられている場合には、２つのピン２１０がどのように移動しても、２つのピン２１０と機械的に干渉せず、２つのピン２１０の移動を規制しない。
【００９４】
これに対して、規制部４２０は、図２５および図２６に示されるように、ディスクガイド４１０が天板２０Ａ側から離間している場合、機械的に干渉して、２つのピン２１０の外側に開く方向への移動を規制する。すなわち、規制部４２０は、ディスクガイド４１０が天板２０Ａ側から離間している場合、２つのピン２１０の間隔が予め定められた距離以上とならないように、２つのピン２１０の互いに遠ざかる方向への移動を規制する。
【００９５】
ここで、ローラレバー３０は、ディスク１１が内部に装着されていない場合およびディスク１１の搬送時には、ローラ３１を天板２０Ａ側に押し付ける。従って、規制部４２０は、ディスク１１が装着されていない場合およびディスク１１の搬送時においては、２つのピン２１０の移動をなんら規制しない。
【００９６】
また、ローラレバー３０は、ディスク１１が内部に装着されている場合、ローラ３１による天板２０Ａ側への押し付けを開放する。従って、規制部４２０は、ディスク１１が内部に装着されている場合、２つのピン２１０の間隔が予め定められた距離以上とならないように、２つのピン２１０の互いに遠ざかる方向への移動を規制する。
【００９７】
以上のように、ディスク駆動装置１０は、ディスク１１が内部に装着されている場合、挿入口２１へのディスク１１の進入を遮るように垂直に立てられた２本のピン２１０が外側に開くように移動することを規制する。これにより、ディスク駆動装置１０によれば、ディスク１１が内部に装着されている場合は、別個のディスク１１が誤挿入されてしまうことを防止できる。
【００９８】
なお、ディスクガイド４１０は、挿入口２１側の辺が天板２０Ａから離間するようにバネ等により付勢がされていてもよい。これにより、ディスクガイド４１０は、ローラ３１による天板２０Ａ側への押し付けが開放されたときに、挿入口２１の辺が天板２０Ａから確実に離間して、規制部４２０に２つのピン２１０の移動を規制させることができる。
【符号の説明】
【００９９】
１０  ディスク駆動装置
１１  ディスク
２０  シャーシ
２０Ａ  天板
２１  挿入口
３０  ローラレバー
３１  ローラ
２１０  ピン
２２０  アーム部
２２１  回動軸
２２２  突起部
２３０  連結部
２４０  付勢部
２４１  第１のバネ部
２４２  第２のバネ部
２４３  第３のバネ部
２４４  第４のバネ部
２４５  第５のバネ部
２５０  第１スイッチ
２６０  第２スイッチ
３１０  ロック部
３１１  板部
３１２  爪部
３１３  軸部
３２０  溝部
４１０  ディスクガイド
４２０  規制部
【図１】
2014130664.tif 000003
【図２】
2014130664.tif 000004
【図３】
2014130664.tif 000005
【図４】
2014130664.tif 000006
【図５】
2014130664.tif 000007
【図６】
2014130664.tif 000008
【図７】
2014130664.tif 000009
【図８】
2014130664.tif 000010
【図９】
2014130664.tif 000011
【図１０】
2014130664.tif 000012
【図１１】
2014130664.tif 000013
【図１２】
2014130664.tif 000014
【図１３】
2014130664.tif 000015
【図１４】
2014130664.tif 000016
【図１５】
2014130664.tif 000017
【図１６】
2014130664.tif 000018
【図１７】
2014130664.tif 000019
【図１８】
2014130664.tif 000020
【図１９】
2014130664.tif 000021
【図２０】
2014130664.tif 000022
【図２１】
2014130664.tif 000023
【図２２】
2014130664.tif 000024
【図２３】
2014130664.tif 000025
【図２４】
2014130664.tif 000026
【図２５】
2014130664.tif 000027
【図２６】
2014130664.tif 000028